(57)【要約】【課題】入力電圧の低下時に画像投影装置が突然使用できなくなってしまうといった事態の発生を抑制すること。【解決手段】画像投影装置は、筐体と、画像を投影するための光を発する光源と、筐体の内部を冷却する冷却手段とを備えた画像投影装置であって、画像投影装置に入力される入力電圧を検知する電圧検知手段と、入力電圧に応じて冷却手段を制御する制御部とを備える。【選択図】図１
2020140124.tif 000002
【特許請求の範囲】
【請求項１】
筐体と、
画像を投影するための光を発する光源と、
前記筐体の内部を冷却する冷却手段と
を備えた画像投影装置であって、
前記画像投影装置に入力される入力電圧を検知する電圧検知手段と、
前記入力電圧に応じて前記冷却手段を制御する制御部と
を備えることを特徴とする画像投影装置。
【請求項２】
前記冷却手段は、ファンであり、
前記制御部は、
前記入力電圧が低いほど、前記ファンの回転数が高くなるように、前記ファンの回転数を制御する
ことを特徴とする請求項１に記載の画像投影装置。
【請求項３】
前記制御部は、
前記入力電圧が低いほど、前記光源の出力が低くなるように、前記光源の出力をさらに制御する
ことを特徴とする請求項２に記載の画像投影装置。
【請求項４】
前記制御部は、
前記入力電圧が第１の閾値を下回った場合、前記入力電圧に応じた前記ファンの回転数の制御を行い、
前記入力電圧が前記第１の閾値よりも小さい第２の閾値を下回った場合、前記入力電圧に応じた前記ファンの回転数の制御、および、前記入力電圧に応じた前記光源の出力の制御を行う
ことを特徴とする請求項３に記載の画像投影装置。
【請求項５】
前記制御部は、
前記入力電圧が前記第２の閾値よりも小さい第３の閾値を下回った場合、エラー通知を行う
ことを特徴とする請求項４に記載の画像投影装置。
【請求項６】
前記制御部は、
前記入力電圧が前記第３の閾値を下回った場合、前記エラー通知を行った後に、前記画像投影装置の電源をオフにする
ことを特徴とする請求項５に記載の画像投影装置。
【請求項７】
筐体と、
画像を投影するための光を発する光源と、
前記筐体の内部を冷却する冷却手段と
を備えた画像投影装置用のプログラムであって、
コンピュータを、
前記画像投影装置に入力される入力電圧に応じて前記冷却手段を制御する制御部
として機能させるためのプログラム。
【発明の詳細な説明】
【技術分野】
【０００１】
本発明は、画像投影装置およびプログラムに関する。
【背景技術】
【０００２】
下記特許文献１には、プロジェクタに関し、外気圧およびサーミスタの温度に基づいて、エアフィルターの目詰まり度合いを判断し、エアフィルターの目詰まり度合いに応じて、冷却ファンの回転数を制御したり、ランプの光量を制御させたり、電源を遮断して加熱保護を行ったりする技術が開示されている。
【発明の概要】
【発明が解決しようとする課題】
【０００３】
しかしながら、従来のプロジェクタ等の画像投影装置では、温度センサによって検出される装置内温度に応じて、冷却装置の制御を行っていたとしても、入力電圧が低下した場合、温度センサによって装置内温度が検知される前に、電源の温度が急上昇して電源が急停止し、ユーザが原因を把握する間もなく、当該画像投影装置全体が突然使用できなくなる虞がある。
【０００４】
本発明は、上述した従来技術の課題を解決するため、入力電圧の低下時に画像投影装置が突然使用できなくなってしまうといった事態の発生を抑制することを目的とする。
【課題を解決するための手段】
【０００５】
上述した課題を解決するために、本発明の画像投影装置は、筐体と、画像を投影するための光を発する光源と、筐体の内部を冷却する冷却手段とを備えた画像投影装置であって、画像投影装置に入力される入力電圧を検知する電圧検知手段と、入力電圧に応じて冷却手段を制御する制御部とを備える。
【発明の効果】
【０００６】
本発明によれば、入力電圧の低下時に画像投影装置が突然使用できなくなってしまうといった事態の発生を抑制することができる。
【図面の簡単な説明】
【０００７】
【図１】本発明の一実施形態に係るプロジェクタのハードウェア構成図
【図２】本発明の一実施形態に係るプロジェクタによる処理の手順を示すフローチャート
【図３】本発明の一実施形態に係るシステム制御部によって使用される選択チャートの一例を示す図
【発明を実施するための形態】
【０００８】
以下、図面を参照して、本発明の一実施形態について説明する。
【０００９】
（プロジェクタ１００の構成）
図１は、本発明の一実施形態に係るプロジェクタ１００の構成図である。図１に示すように、プロジェクタ１００は、筐体１００Ａ、ランプ１０１、ランプ制御部１０２、ファン１０３、ファン制御部１０４、カラーホイール１０５、カラーホイール制御部１０６、ＤＭＤ１０７、ＤＭＤ制御部１０８、本体操作部１１１、リモコン受光部１１２、リモコン１１３、映像信号制御部１１４、映像入力端子１１５、電力入力端子１１６、電源１１７、電圧検知部１１８、システム制御部１１９、ＬＥＤ１２０、およびブザー１２１を備える。
【００１０】
ランプ１０１は、投写光を発光する。ランプ制御部１０２は、ランプ１０１による投写光の発光を制御する。ランプ１０１としては、例えば、ハロゲンランプ、キセノンランプ、メタルハライドランプ、超高圧水銀ランプ等を用いることができる。例えば、ランプ制御部１０２は、システム制御部１１９からの指示に応じて、ランプ１０１に供給する電圧または電流を制御することにより、ランプ１０１の出力を制御することができる。
【００１１】
ファン１０３は、回転することで、プロジェクタ１００内部の空気を排気して、筐体１００Ａの内部を冷却する。ファン制御部１０４は、ファン１０３の回転を制御する。例えば、ファン制御部１０４は、システム制御部１１９からの指示に応じて、ファン１０３が備えるモータに供給する電圧または電流を制御することにより、ファン１０３の回転数を制御することができる。
【００１２】
カラーホイール１０５は、赤色光透過領域、青色光透過領域、および緑色光透過領域に分割された円盤状の部材であり、ランプ１０１から発せられた光の光路上に設けられている。カラーホイール１０５は、カラーホイール制御部１０６によって回転が制御されることにより、当該カラーホイール１０５から出射される光の色を時分割で制御して、赤色光、青色光、緑色光の組み合わせからなる任意の色の光を、ＤＭＤ１０７に入射することができる。
【００１３】
ＤＭＤ（Digital Micromirror Device）１０７は、アレイ状に配列された複数のマイクロミラーを備えて構成されている。ＤＭＤ１０７は、映像入力端子１１５から入力された映像信号に応じて、各マイクロミラーの傾きがＤＭＤ制御部１０８によって制御されることにより、マイクロミラーごと（すなわち、１ピクセルごと）に明るさが異なる画像を、投射レンズ（図示省略）を介してスクリーン等の投影面に投影することができる。
【００１４】
本体操作部１１１は、種々のキー、ボタン及びＬＥＤ等が配設されており、ユーザによるプロジェクタ１００の各種操作を行うのに使用される。例えば、本体操作部１１１は、投写画像の大きさの調整操作、色調の調整操作、ピント調整操作、キーストン調整操作等の指示操作を受け付ける。
【００１５】
リモコン１１３は、複数の操作ボタンを有しており、複数の操作ボタンに対するユーザ操作（例えば、電源のＯＮ／ＯＦＦ等）に応じた信号光を発光する。リモコン受光部１１２は、リモコン１１３から発せられた信号光を受光し、受光した信号光に応じた操作信号を、システム制御部１１９へ供給する。システム制御部１１９は、リモコン受光部１１２から供給された操作信号に応じて、プロジェクタ１００を制御する。
【００１６】
映像入力端子１１５は、外部機器（例えば、ＰＣ（Personal Computer）等）から、映像データが入力される。映像信号制御部１１４は、映像入力端子１１５から入力された映像信号を、システム制御部１１９へ供給する。システム制御部１１９は、映像信号制御部１１４から供給された映像信号に応じて、カラーホイール１０５およびＤＭＤ１０７を制御することにより、当該映像信号に応じた画像をスクリーン等の投影面に投影させる。
【００１７】
電源１１７は、電力入力端子１１６から入力された電力を、プロジェクタ１００の各部へ供給する。電圧検知部１１８は、電源１１７内に設けられており、電力入力端子１１６から入力された電力の入力電圧Ｖｉｎを検知して、当該入力電圧Ｖｉｎをシステム制御部１１９へ通知する。
【００１８】
システム制御部１１９は、プロジェクタ１００の全体を制御する。システム制御部１１９は、電圧検知部１１８によって検知された入力電圧Ｖｉｎに応じて、ランプ制御部１０２およびファン制御部１０４を介して、ランプ１０１の発光およびファン１０３の回転を制御することができる。これにより、システム制御部１１９は、入力電圧Ｖｉｎに応じたプロジェクタ１００の冷却制御を行うことができる。
【００１９】
例えば、システム制御部１１９は、入力電圧Ｖｉｎが低いほど、ファン１０３の回転数が高くなるように、ファン１０３の回転数を制御することができる。
【００２０】
また、例えば、システム制御部１１９は、入力電圧Ｖｉｎが低いほど、ランプ１０１の出力が低くなるように、ランプ１０１の出力を制御することができる。
【００２１】
また、例えば、システム制御部１１９は、入力電圧Ｖｉｎが閾値ｔｈ１（第１の閾値）を下回った場合、入力電圧Ｖｉｎに応じたファン１０３の回転数の制御を行い、入力電圧Ｖｉｎが閾値ｔｈ１（第１の閾値）よりも小さい閾値ｔｈ２（第２の閾値）を下回った場合、入力電圧Ｖｉｎに応じたファン１０３の回転数の制御、および、入力電圧Ｖｉｎに応じたランプ１０１の出力の制御を行うことができる。
【００２２】
また、システム制御部１１９は、入力電圧Ｖｉｎが閾値ｔｈ２（第２の閾値）よりも小さい閾値ｔｈ３（第３の閾値）以下となった場合、ＬＥＤ１２０を点滅させるとともに、ブザー１２１を発音させることにより、ユーザにエラー（入力電圧Ｖｉｎが低くなり過ぎること）を通知することができる。
【００２３】
また、システム制御部１１９は、入力電圧Ｖｉｎが閾値ｔｈ３以下となった場合、プロジェクタ１００を停止モードに移行させて、プロジェクタ１００の電源をオフに切り替えることができる。
【００２４】
例えば、上記で説明した実施形態の各機能は、プロジェクタ１００において、各種記憶装置（ＲＯＭ、ＲＡＭ等）に記憶されたプログラムを、ＣＰＵ（コンピュータ）が実行することにより実現される。このプログラムは、予めプロジェクタ１００に導入された状態で提供されてもよく、外部から提供されてプロジェクタ１００に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００２５】
また、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【００２６】
（プロジェクタ１００による処理の手順）
図２は、本発明の一実施形態に係るプロジェクタ１００による処理の手順を示すフローチャートである。なお、ここでは、プロジェクタ１００のシステム制御部１１９において、入力電圧Ｖｉｎの閾値ｔｈ１，ｔｈ２，ｔｈ３が予め定められているものとする。但し、ｔｈ１＞ｔｈ２＞ｔｈ３である。閾値ｔｈ１は、「第１の閾値」の一例である。閾値ｔｈ２は、「第２の閾値」の一例である。閾値ｔｈ３は、「第３の閾値」の一例である。
【００２７】
まず、プロジェクタ１００の電源がオンに切り替わると（ステップＳ２０１）、システム制御部１１９が、システムの初期化を行う（ステップＳ２０２）。次に、システム制御部１１９が、電源オフ信号が発生したか否かを判断する（ステップＳ２０３）。
【００２８】
ステップＳ２０３において、電源オフ信号が発生したと判断された場合（ステップＳ２０３：Ｙｅｓ）、システム制御部１１９が、プロジェクタ１００を停止モードに移行させて（ステップＳ２１３）、プロジェクタ１００の電源をオフに切り替える（ステップＳ２１４）。そして、プロジェクタ１００は、図２に示す一連の処理を終了する。
【００２９】
一方、ステップＳ２０３において、電源オフ信号が発生していないと判断された場合（ステップＳ２０３：Ｎｏ）、電圧検知部１１８が入力電圧Ｖｉｎを検知する（ステップＳ２０４）。そして、システム制御部１１９が、入力電圧Ｖｉｎが閾値ｔｈ１未満であるか否かを判断する（ステップＳ２０５）。
【００３０】
ステップＳ２０５において、入力電圧Ｖｉｎが閾値ｔｈ１未満ではないと判断された場合（ステップＳ２０５：Ｎｏ）、プロジェクタ１００は、ステップＳ２０３へ処理を戻す。一方、ステップＳ２０５において、入力電圧Ｖｉｎが閾値ｔｈ１未満であると判断された場合（ステップＳ２０５：Ｙｅｓ）、システム制御部１１９が、入力電圧Ｖｉｎが閾値ｔｈ２以上であるか否かを判断する（ステップＳ２０６）。
【００３１】
ステップＳ２０６において、入力電圧Ｖｉｎが閾値ｔｈ２以上であると判断された場合（ステップＳ２０６：Ｙｅｓ）、システム制御部１１９が、入力電圧Ｖｉｎに応じたファン１０３の回転数の制御を行う（ステップＳ２０７）。そして、プロジェクタ１００は、ステップＳ２０３へ処理を戻す。
【００３２】
一方、ステップＳ２０６において、入力電圧Ｖｉｎが閾値ｔｈ２以上ではないと判断された場合（ステップＳ２０６：Ｎｏ）、システム制御部１１９が、入力電圧Ｖｉｎが閾値ｔｈ３以上であるか否かを判断する（ステップＳ２０８）。
【００３３】
ステップＳ２０８において、入力電圧Ｖｉｎが閾値ｔｈ３以上であると判断された場合、システム制御部１１９が、ランプ１０１の出力を低下させるとともに（ステップＳ２０９）、入力電圧Ｖｉｎに応じたファン１０３の回転数の制御を行う（ステップＳ２１０）。さらに、システム制御部１１９が、ディスプレイ（例えば、筐体１００Ａに設けられているディスプレイ、本体操作部１１１に設けられているディスプレイ等）に、入力電圧Ｖｉｎが低くなり過ぎることを示すエラーメッセージを表示することにより、ユーザにエラー（入力電圧Ｖｉｎが低くなり過ぎること）を通知する（ステップＳ２１１）。そして、プロジェクタ１００は、ステップＳ２０３へ処理を戻す。
【００３４】
一方、ステップＳ２０８において、入力電圧Ｖｉｎが閾値ｔｈ３以上ではないと判断された場合（ステップＳ２０８：Ｎｏ）、システム制御部１１９が、ＬＥＤ１２０を点滅させるとともに、ブザー１２１を発音させることにより、ユーザにエラー（入力電圧Ｖｉｎが低くなり過ぎること）を通知する（ステップＳ２１２）。そして、システム制御部１１９が、プロジェクタ１００を停止モードに移行させて（ステップＳ２１３）、プロジェクタ１００の電源をオフに切り替える（ステップＳ２１４）。そして、プロジェクタ１００は、図２に示す一連の処理を終了する。
【００３５】
図２に示す一連の処理により、本実施形態のプロジェクタ１００は、入力電圧Ｖｉｎが閾値ｔｈ１を下回った場合であっても、最も低い閾値ｔｈ３を下回るまでの間、入力電圧Ｖｉｎに応じた冷却制御を行うことで、画像を投影し続けることができる。また、本実施形態のプロジェクタ１００は、入力電圧Ｖｉｎの低下時におけるランプ１０１の急激な消灯を抑制することができるため、ランプ１０１の劣化等を抑制することができる。
【００３６】
（システム制御部１１９による制御の一例）
図３は、本発明の一実施形態に係るシステム制御部１１９によって使用される選択チャートの一例を示す図である。図３に示す選択チャートは、システム制御部１１９が、入力電圧Ｖｉｎに応じて、ファン１０３の回転数およびとランプ１０１の出力をどのように制御するかを選択するための用いるものである。なお、図３に示す選択チャートにおいて、入力電圧ａ［Ｖ］は、閾値ｔｈ１である。また、入力電圧ｂ［Ｖ］は、閾値ｔｈ２である。入力電圧ｃ［Ｖ］は、閾値ｔｈ３である。
【００３７】
図２のフローチャートで説明したとおり、システム制御部１１９は、入力電圧Ｖｉｎが閾値ｔｈ１以下且つ閾値ｔｈ２以上の場合（すなわち、入力電圧Ｖｉｎがａ［Ｖ］〜ｂ［Ｖ］の範囲内である場合）、図３に示す選択チャートに基づいて、入力電圧Ｖｉｎに応じたファン１０３の回転数の制御を行う。ここで、図３に示すように、システム制御部１１９は、入力電圧ａ［Ｖ］〜ｂ［Ｖ］の範囲内においては、入力電圧Ｖｉｎが低いほど、ファン１０３の回転数が高くなるように、ファン１０３の回転数を「ｘ１」〜「ｘ５」の間で制御する。また、システム制御部１１９は、入力電圧ａ［Ｖ］〜ｂ［Ｖ］の範囲内においては、ランプ１０１の出力を「Ｚ」に一定にする。
【００３８】
また、図２のフローチャートで説明したとおり、システム制御部１１９は、入力電圧Ｖｉｎが閾値ｔｈ３以上且つ閾値ｔｈ２未満の場合（すなわち、入力電圧Ｖｉｎがｂ［Ｖ］〜ｃ［Ｖ］の範囲内である場合）、図３に示す選択チャートに基づいて、入力電圧Ｖｉｎに応じたファン１０３の回転数およびランプ１０１の出力の制御を行う。ここで、図３に示すように、システム制御部１１９は、入力電圧ｂ［Ｖ］〜ｃ［Ｖ］の範囲内においては、入力電圧Ｖｉｎが低いほど、ファン１０３の回転数が高くなるように、ファン１０３の回転数を「ｘ５」〜「ｘ９」の間で制御する。また、システム制御部１１９は、入力電圧ｂ［Ｖ］〜ｃ［Ｖ］の範囲内においては、入力電圧Ｖｉｎが低いほど、ランプ１０１の出力が低くなるように、ランプ１０１の出力を「Ｚ１」〜「Ｚ３」の間で制御する。
【００３９】
このように、本実施形態のプロジェクタ１００は、入力電圧Ｖｉｎが低いほど、ファン１０３の回転数をより高めることができ、したがって、ファン１０３による冷却能力をより高めることができる。また、本実施形態のプロジェクタ１００は、入力電圧Ｖｉｎが低いほど、ランプ１０１の出力を低めることができ、したがって、電源１１７の消費電力および発熱量をより低減させることができる。
【００４０】
また、本実施形態のプロジェクタ１００は、入力電圧Ｖｉｎがｂ［Ｖ］を下回った場合、ランプ１０１の出力が「Ｚ１」よりも高くならないように、ランプ１０１の出力を制御することができる。このため、本実施形態のプロジェクタ１００は、入力電圧Ｖｉｎがｂ［Ｖ］を下回った場合であっても、画像を投影し続けることができ、急激なランプ１０１の消灯等による光学部品の劣化等を抑制することができる。
【００４１】
以上説明したように、本発明の一実施形態に係るプロジェクタ１００は、筐体１００Ａと、画像を投影するための光を発するランプ１０１と、筐体１００Ａの内部を冷却するファン１０３とを備える。また、本発明の一実施形態に係るプロジェクタ１００は、当該プロジェクタ１００に入力される入力電圧Ｖｉｎを検知する電圧検知部１１８と、入力電圧Ｖｉｎに応じてファン１０３の回転数を制御するシステム制御部１１９とを備える。
【００４２】
これにより、本発明の一実施形態に係るプロジェクタ１００は、入力電圧Ｖｉｎに応じて、ファン１０３の回転数を制御することができる。このため、本発明の一実施形態に係るプロジェクタ１００は、入力電圧Ｖｉｎが低下して、電源の温度が上昇した場合であっても、ファン１０３の回転数を高めることにより、ファン１０３による冷却効果を高めて、電源を急停止させることなく、画像を投影し続けることができる。したがって、本発明の一実施形態に係るプロジェクタ１００によれば、入力電圧Ｖｉｎの低下時に、プロジェクタ１００が突然使用できなくなってしまうといった事態の発生を抑制することができる。
【００４３】
また、本発明の一実施形態に係るプロジェクタ１００において、システム制御部１１９は、入力電圧Ｖｉｎが低いほど、ファン１０３の回転数が高くなるように、ファン１０３の回転数を制御することができる。
【００４４】
これにより、本発明の一実施形態に係るプロジェクタ１００は、入力電圧Ｖｉｎが低いほど、ファン１０３の回転数をより高めることができ、したがって、ファン１０３による冷却能力をより高めることができる。したがって、本発明の一実施形態に係るプロジェクタ１００によれば、入力電圧Ｖｉｎが低下した場合であっても、画像を投影し続けることができ、よって、プロジェクタ１００が突然使用できなくなってしまうといった事態の発生を抑制することができる。
【００４５】
また、本発明の一実施形態に係るプロジェクタ１００において、システム制御部１１９は、入力電圧Ｖｉｎが低いほど、ランプ１０１の出力が低くなるように、ランプ１０１の出力をさらに制御することができる。
【００４６】
これにより、本発明の一実施形態に係るプロジェクタ１００は、入力電圧Ｖｉｎが低いほど、電源１１７の消費電力および発熱量をより低減させることができる。したがって、本発明の一実施形態に係るプロジェクタ１００によれば、入力電圧Ｖｉｎが低下した場合であっても、画像を投影し続けることができ、よって、プロジェクタ１００が突然使用できなくなってしまうといった事態の発生を抑制することができる。
【００４７】
また、本発明の一実施形態に係るプロジェクタ１００において、システム制御部１１９は、入力電圧Ｖｉｎが閾値ｔｈ１（第１の閾値）を下回った場合、入力電圧Ｖｉｎに応じたファン１０３の回転数の制御を行い、入力電圧Ｖｉｎが閾値ｔｈ１よりも小さい閾値ｔｈ２（第２の閾値）を下回った場合、入力電圧Ｖｉｎに応じたファン１０３の回転数の制御、および、入力電圧Ｖｉｎに応じたランプ１０１の出力の制御を行うことができる。
【００４８】
これにより、本発明の一実施形態に係るプロジェクタ１００は、入力電圧Ｖｉｎの低下時に、入力電圧Ｖｉｎに応じて、ファン１０３の回転数の制御のみと、ファン１０３の回転数およびランプ１０１の出力の双方の制御とを、切り替えて行うことができる。したがって、本発明の一実施形態に係るプロジェクタ１００は、入力電圧Ｖｉｎの低下時に、入力電圧Ｖｉｎに応じた、適切なファン１０３およびランプ１０１の制御を行うことができる。
【００４９】
また、本発明の一実施形態に係るプロジェクタ１００において、システム制御部１１９は、入力電圧Ｖｉｎが閾値ｔｈ２よりも小さい閾値ｔｈ３（第３の閾値）を下回った場合、エラー通知を行うことができる。
【００５０】
これにより、本発明の一実施形態に係るプロジェクタ１００は、入力電圧Ｖｉｎが閾値ｔｈ３を下回った場合、入力電圧Ｖｉｎが低くなり過ぎたことをユーザに通知することができ、したがって、ユーザが原因を把握することなくプロジェクタ１００が突然使用できなくなるといった事態の発生を回避することができる。
【００５１】
また、本発明の一実施形態に係るプロジェクタ１００において、システム制御部１１９は、入力電圧Ｖｉｎが閾値ｔｈ３を下回った場合、エラー通知を行った後に、当該プロジェクタ１００の電源をオフにすることができる。
【００５２】
これにより、本発明の一実施形態に係るプロジェクタ１００は、入力電圧Ｖｉｎが閾値ｔｈ３を下回った場合、ユーザに原因を把握させたうえで、プロジェクタ１００の電源をオフにすることにより、入力電圧Ｖｉｎが低くなり過ぎることによって生じ得る、プロジェクタ１００の破損や劣化を抑制することができる。
【００５３】
以上、本発明の好ましい実施形態について詳述したが、本発明はこれらの実施形態に限定されるものではなく、特許請求の範囲に記載された本発明の要旨の範囲内において、種々の変形又は変更が可能である。
【００５４】
例えば、画像投影装置は、少なくとも画像を投影するための光を発する光源を有する装置であれば、プロジェクタに限らない。また、例えば、冷却手段は、少なくとも筐体の内部を冷却することが可能な装置であれば、ファンに限らない。また、例えば、光源は、ランプに限らない。
【００５５】
なお、第１の閾値、第２の閾値、および第３の閾値は、例えば、シミュレーション結果等に基づき、適切な値が設定されることが好ましい。例えば、第１の閾値は、入力電圧がこれより下回った場合に、電源の温度上昇が開始するような電圧値が設定されるようにしてもよい。また、例えば、第３の閾値は、入力電圧がこれより下回った場合に、画像投影装置の破損や劣化が発生し得るような電圧値が設定されるようにしてもよい。すなわち、第３の閾値は、入力電圧の低下を許容できる電圧値の範囲と、入力電圧の低下を許容できない電圧値の範囲との境界値としてもよい。
【符号の説明】
【００５６】
１００  プロジェクタ（画像投影装置）
１００Ａ  筐体
１０１  ランプ（光源）
１０３  ファン（冷却手段）
１１７  電源
１１８  電圧検知部（電圧検知手段）
１１９  システム制御部（制御部）
【先行技術文献】
【特許文献】
【００５７】
【特許文献１】特開２００８−２６２０３３号公報
【図１】
2020140124.tif 000003
【図２】
2020140124.tif 000004
【図３】
2020140124.tif 000005